(57)【要約】      （修正有）【課題】飲料の味の選択肢を効果的に増やせるとともに、たとえ複数の味のシロップが混合されたとしても飲料の味を適切に調整することができる飲料供給装置を提供すること。【解決手段】飲料供給装置は、シロップタンク１０ａ、１０ｂに蓄えられたシロップを、水または炭酸水により希釈されて主飲料を構成する第１のシロップとして選択する操作、または、主飲料にフレーバとして添加される第２のシロップとして選択する操作を受け付けるタッチパネル２と、シロップが第１のシロップとして選択された場合、第１のシロップを所定時間連続的に供給しつつ水または炭酸水と混合して主飲料を製造し、また、シロップが第２のシロップとして選択された場合、第２のシロップを主飲料に混合して飲料を製造するノズル５ｂと、を備える。【選択図】図４
2020063100.tif 000002
【特許請求の範囲】
【請求項１】
シロップタンクに蓄えられたシロップを、水または炭酸水により希釈されて主飲料を構成する第１のシロップとして選択する操作、または、前記主飲料にフレーバとして添加される第２のシロップとして選択する操作を受け付ける操作受付部と、
前記シロップが前記第１のシロップとして選択された場合、前記第１のシロップを所定時間連続的に供給しつつ水または炭酸水と混合して主飲料を製造し、また、前記シロップが前記第２のシロップとして選択された場合、前記第２のシロップを主飲料に混合して飲料を製造する混合部と、を備える、飲料供給装置。
【請求項２】
前記混合部は、前記第２のシロップを前記主飲料に間欠的に供給する、請求項１に記載の飲料供給装置。
【請求項３】
前記混合部は、前記第１のシロップの供給が行われる時間の間、前記第２のシロップの供給を行う時間と前記第２のシロップの供給を行わない時間とからなる１サイクルを複数回繰り返し行う、請求項１または２に記載の飲料供給装置。
【請求項４】
前記混合部は、前記シロップが前記第１のシロップとして選択された場合、前記第１のシロップを所定時間連続的に供給しつつ水または炭酸水で希釈して前記主飲料を製造すると共に、前記第２のシロップとして選択された別のシロップを希釈しない状態で前記主飲料に間欠的に供給し、前記第２のシロップを前記主飲料と混合して飲料を製造する、請求項１から３のいずれか一項に記載の飲料供給装置。
【請求項５】
前記混合部は、前記シロップが前記第２のシロップとして選択された場合、前記第１のシロップとして選択された別のシロップを所定時間連続的に供給しつつ水または炭酸水で希釈して前記主飲料を製造すると共に、前記第２のシロップを希釈しない状態で前記主飲料に間欠的に供給し、前記第２のシロップを前記主飲料と混合して飲料を製造する、請求項１から４のいずれか一項に記載の飲料供給装置。
【請求項６】
前記混合部は、前記飲料の製造後に当該飲料を追加する操作が行われている間、前記飲料、前記水または炭酸水、および、前記第１のシロップを混合して新たな飲料を製造するとともに、前記飲料を追加する操作が複数回行われた場合における前記第１のシロップを追加している時間の合計が０秒より大きい所定の時間を超えた場合に、前記新たな飲料に前記第２のシロップをさらに追加する、請求項１から５のいずれか一項に記載の飲料供給装置。
【発明の詳細な説明】
【技術分野】
【０００１】
本発明は、飲料を供給する飲料供給装置に関する。
【背景技術】
【０００２】
従来、シロップと希釈水とを混合して飲料を製造し、製造した飲料を供給する飲料供給装置が知られている。このような飲料供給装置は、通常、複数の種類の飲料を製造し、供給することができる。
【０００３】
具体的には、飲料供給装置は、製造する飲料の選択操作を受け付けるボタンを備え、そのボタンが押下された場合に、複数のシロップタンクにそれぞれ蓄えられた異なる種類のシロップの中から、その飲料を製造するために必要なシロップを吐出する。それと同時に、飲料供給装置は希釈水を吐出し、シロップと希釈水とを混合させて飲料を製造する。
【０００４】
このような飲料供給装置の一例として、特許文献１には、シロップタンクに蓄えられたシロップにガス圧を印加し、シロップの供給経路に設けられた電磁弁を間欠的に開閉させることによりシロップを吐出し、吐出されたシロップを水で希釈する技術が開示されている。
【先行技術文献】
【特許文献】
【０００５】
【特許文献１】特許第３９４７９１４号公報
【発明の概要】
【発明が解決しようとする課題】
【０００６】
しかしながら、上記特許文献１の技術では、飲料の味の選択肢が限られるという問題がある。これは、飲料を製造するために用いられるシロップの種類が１種類に限定されているためである。また、飲料の味の選択肢を増やすため、２種類のシロップを混合することも考えられるが、特許文献１に開示された技術はそもそも２種類のシロップを混合することを想定しておらず、どのようにしてそれらの混合を行うべきかについて一切開示されていない。
【０００７】
例えば、単に２種類のシロップを混合するだけでは２種類のシロップの味がバランスよく感じられる飲料を製造することは困難である。そのため、２種類のシロップの味がバランスよく感じられる飲料を容易に製造することができる技術の開発が望まれていた。
【０００８】
本発明の目的は、飲料の味の選択肢を効果的に増やせるとともに、たとえ複数の味のシロップが混合されたとしても飲料の味を適切に調整することができる飲料供給装置を提供することである。
【課題を解決するための手段】
【０００９】
本発明の飲料供給装置は、シロップタンクに蓄えられたシロップを、水または炭酸水により希釈されて主飲料を構成する第１のシロップとして選択する操作、または、前記主飲料にフレーバとして添加される第２のシロップとして選択する操作を受け付ける操作受付部と、前記シロップが前記第１のシロップとして選択された場合、前記第１のシロップを所定時間連続的に供給しつつ水または炭酸水と混合して主飲料を製造し、また、前記シロップが前記第２のシロップとして選択された場合、前記第２のシロップを主飲料に混合して飲料を製造する混合部と、を備える。
【発明の効果】
【００１０】
本発明によれば、飲料の味の選択肢を効果的に増やせるとともに、たとえ複数の味のシロップが混合されたとしても飲料の味を適切に調整することができる。
【図面の簡単な説明】
【００１１】
【図１】本発明の実施の形態に係る飲料供給装置の正面図
【図２】本発明の実施の形態に係る飲料供給装置の前面扉を開いたときの内部を示す正面図
【図３】本発明の実施の形態に係る飲料供給装置の外部構成を示す図
【図４】本発明の実施の形態に係る飲料供給装置の配管系統を示す図
【図５】本発明の実施の形態に係る飲料供給装置における強炭酸飲料の供給時のタイムチャート
【図６Ａ】本発明の実施の形態に係る飲料供給装置における無炭酸飲料および弱炭酸飲料の供給時のタイムチャート
【図６Ｂ】本発明の実施の形態に係る飲料供給装置における無炭酸飲料および弱炭酸飲料の供給時のタイムチャート
【図７】本発明の実施の形態の変形例１に係る飲料供給装置におけるメインシロップの間欠吐出について説明する図
【図８】本発明の実施の形態の変形例２に係る飲料供給装置の配管系統を示す図
【図９】本発明の実施の形態の変形例２に係る飲料供給装置における強炭酸飲料の供給時のタイムチャート
【発明を実施するための形態】
【００１２】
以下、本発明の実施の形態について、図面を参照して説明する。
【００１３】
まず、図１〜図３を用いて、本発明の実施の形態に係る飲料供給装置１００の構成の一例について説明する。図１は、本発明の実施の形態に係る飲料供給装置１００の正面図である。図２は、本発明の実施の形態に係る飲料供給装置１００の前面扉を開いたときの内部を示す正面図である。図３は、本発明の実施の形態に係る飲料供給装置１００の外部構成を示す図である。
【００１４】
図１に示すように、飲料供給装置１００は、開閉可能な前面扉１にタッチパネル２を備える。タッチパネル２は、飲料供給装置１００の利用者に対して飲料の選択肢を表示するとともに、利用者による飲料の選択操作を受け付ける操作受付部である。
【００１５】
具体的には、タッチパネル２は、炭酸水により希釈されて主飲料を構成するメインシロップの選択肢、および、主飲料にフレーバとして添加されるトッピングシロップの選択肢を表示し、メインシロップ、および、トッピングシロップを選択する操作を利用者から受け付ける。
【００１６】
また、図１に示すように、タッチパネル２の下方には、物理ボタン３ａ〜３ｃが備えられている。物理ボタン３ａ〜３ｃは、利用者から飲料の吐出を指示する操作を受け付ける。また、物理ボタン３ａ〜３ｃの下方には、それぞれ、利用者が容器（グラス、カップ等）を載置する容器置き場４ａ〜４ｃが備えられている。
【００１７】
物理ボタン３ａは、容器置き場４ａに対応しており、かつ、図２に示す希釈水ノズル５ａおよびシロップノズル５０に対応している。また、物理ボタン３ｂは、容器置き場４ｂに対応しており、かつ、図２に示すノズル５ｂに対応している。また、物理ボタン３ｃは容器置き場４ｃに対応しており、かつ、図２に示す希釈水ノズル５ｃ、シロップノズル５１、および炭酸水ノズル５２に対応している。
【００１８】
利用者は、タッチパネル２において飲料の選択操作を行った後、容器置き場４ａ〜４ｃのいずれかに容器を置き、物理ボタン３ａ〜３ｃのいずれかを押下する。
【００１９】
例えば、物理ボタン３ａが押下された場合、図２に示すバックインボックス（以下、ＢＩＢという）６内のシロップがＢＩＢ用チューブポンプ１７の働きによりシロップノズル５０から吐出され、吐出流となる。このシロップの吐出流は、希釈水ノズル５ａから吐出される希釈水（水道水）の吐出流と衝突して混合される。これにより、飲料が製造される。このようにして製造された飲料は、容器置き場４ａに置かれた容器に供給される。
【００２０】
また、例えば、物理ボタン３ｂが押下された場合、ノズル５ｂにおいて、シロップと、希釈水および／または炭酸水とが混合され、飲料が製造される。このようにして製造された飲料は、ノズル５ｂから吐出され、容器置き場４ｂに置かれた容器に供給される。
【００２１】
また、例えば、物理ボタン３ｃが押下された場合、図２に示すＢＩＢ７内のシロップがＢＩＢ用チューブポンプ１８の働きによりシロップノズル５１から吐出され、吐出流となる。このシロップの吐出流は、希釈水ノズル５ｃから吐出される希釈水の吐出流および／または炭酸水ノズル５２から吐出される炭酸水の吐出流と衝突して混合される。これにより、飲料が製造される。このようにして製造された飲料は、容器置き場４ｃに置かれた容器に供給される。
【００２２】
なお、上述した各飲料は、物理ボタン３ａ〜３ｃが押下されている間、容器に供給される。
【００２３】
また、上述したＢＩＢ用チューブポンプ１７、１８は、後述する制御部２０（図４参照）により駆動を制御される。制御部２０は、後述する記憶部２１（図４参照）から、ＢＩＢ用チューブポンプ１７、１８の駆動を制御するための設定データを読み出し、その設定データに基づいてＢＩＢ用チューブポンプ１７、１８の駆動を制御する。これにより、ＢＩＢ６、７内からシロップが搬出される。
【００２４】
また、上述した炭酸水ノズル５２は、ＢＩＢ６側に備えられてもよく、ＢＩＢ６側およびＢＩＢ７側の両方に備えられてもよい。
【００２５】
また、上述したＢＩＢ６、７は、冷蔵エリアに備えられる。このＢＩＢ６、７には、冷蔵保存が必要なシロップが蓄えられる。また、冷蔵保存の必要のないシロップは、後に図３を用いて説明するシロップタンク１０に格納される。
【００２６】
ここで、本実施の形態でいうシロップとは、糖分を含む濃縮液だけでなく、糖分を含まない濃縮液（例えば、緑茶、紅茶などの原液）も含むものとする。
【００２７】
また、上述したノズル５ｂは、水または炭酸水と、メインシロップとを所定の割合で混合して主飲料を製造するとともに、希釈しない状態のトッピングシロップを主飲料に混合して飲料（以下、フレーバ添加飲料という）を製造する混合部である。ノズル５ｂで製造されたフレーバ添加飲料は、容器置き場４ｂに載置された容器にノズル５ｂから吐出される。
【００２８】
このように、メインシロップとトッピングシロップとの２種類を混同することにより、利用者に提供する飲料の味の選択肢を大幅に増やすことができる。
【００２９】
ここで、メインシロップおよびトッピングシロップは、次に説明する図３に示されたシロップタンク１０に格納されている。なお、ノズル５ｂは、上記フレーバ添加飲料を吐出する以外にも、水のみ、または、炭酸水のみの吐出も行う。
【００３０】
また、図３に示すように、飲料供給装置１００には、浄化フィルタ８、炭酸ガスボンベ９、複数のシロップタンク１０が備えられる。
【００３１】
浄化フィルタ８は、ブレードチューブ１１から供給される水道水を浄化し、浄化した水を、ブレードチューブ１２を介して飲料供給装置１００の内部に供給する。ブレードチューブ１２は、例えば、飲料供給装置１００の内部に設けられた希釈水入口電磁弁３１（後述する図４、図８参照）に接続される。そして、飲料供給装置１００内部に供給された浄化水は、そのまま飲料としてユーザに供給されたり、または、希釈水や加圧水として用いられたりする。
【００３２】
炭酸ガスボンベ９は、炭酸ガスを蓄えている。この炭酸ガスは、ガスレギュレータ１３に設定された所定の圧力（例えば、０．６ＭＰａ）で、ブレードチューブ１４を介してカーボネータ２３に供給される。また、この炭酸ガスは、ガスレギュレータ１３に設定された所定の圧力（例えば、０．２ＭＰａ）で、ブレードチューブ１５を介して各シロップタンク１０に供給される。
【００３３】
複数のシロップタンク１０は、それぞれ異なるシロップを蓄えている。これらのシロップは、上述したとおり、メインシロップまたはトッピングシロップとして用いられるものである。これらのシロップは、炭酸ガスボンベ９から供給されるガスの圧力により押し出され、ブレードチューブ１６を介してノズル５ｂに供給される。
【００３４】
次に、図４、図５を用いて、本実施の形態の飲料供給装置１００における飲料供給の制御処理について説明する。図４は、本発明の実施の形態に係る飲料供給装置１００の配管系統を示す図である。また、図５は、本発明の実施の形態に係る飲料供給装置１００における飲料供給時のタイムチャートである。
【００３５】
（強炭酸のフレーバ添加飲料の供給方法）
まず、強炭酸のフレーバ添加飲料の供給時の制御動作の例について説明する。
【００３６】
ここで、強炭酸のフレーバ添加飲料とは、メインシロップ、炭酸水、および、トッピングシロップが混合された飲料である。
【００３７】
図４に示すように、飲料供給装置１００は、上述したタッチパネル２、物理ボタン３ｂ、および、ノズル５ｂに加え、シロップタンク１０ａ、１０ｂ、制御部２０、記憶部２１、炭酸水電磁弁２２、カーボネータ２３、流量計２４、４０、第１シロップ電磁弁２５、第１シロップモータ２６、第１シロップポンプ２７、第２シロップ電磁弁２８、第２シロップモータ２９、第２シロップポンプ３０、希釈水入口電磁弁３１、希釈水電磁弁３２、希釈水ポンプモータ３３、希釈水ポンプ３４、加圧水電磁弁３９を備える。
【００３８】
シロップタンク１０ａ、シロップタンク１０ｂはそれぞれ、図３のシロップタンク１０のうちの１つであり、メインシロップまたはトッピングシロップとして用いられるシロップ（例えば、コーラシロップ、オレンジシロップ等）を蓄えている。
【００３９】
制御部２０は、ＣＰＵ（Central Processing Unit）などの制御デバイスである。また、記憶部２１は、ＲＯＭ（Read Only Memory）やＲＡＭ（Random Access Memory）などのメモリデバイスである。
【００４０】
制御部２０は、タッチパネル２において、ユーザにより強炭酸のフレーバ添加飲料を選択する操作が行われると、選択された飲料に関するデータを記憶部２１から読み出す。
【００４１】
このデータは、例えば、メインシロップとトッピングシロップとの組み合わせに対応付けて登録されたメインシロップ、炭酸水、および、トッピングシロップの希釈比率のデータ、その希釈比率に応じて各電磁弁（炭酸水電磁弁２２、第１シロップ電磁弁２５、第２シロップ電磁弁２８、希釈水入口電磁弁３１、希釈水電磁弁３２、加圧水電磁弁３９）の開閉を制御するための設定データ、その希釈比率に応じて各モータ（第１シロップモータ２６、第２シロップモータ２９）の駆動を制御するための設定データなどである。
【００４２】
そして、利用者により物理ボタン３ｂが押下されると、制御部２０は、上記各データに基づいて以下の制御を行う。
【００４３】
まず、制御部２０は、図５に示すように、物理ボタン３ｂが押下されると、炭酸水電磁弁２２を開状態とする。これにより、カーボネータ２３で製造された炭酸水は、開状態にある炭酸水電磁弁２２および流量計２４を介して、ノズル５ｂに送出される。
【００４４】
なお、カーボネータ２３で製造された炭酸水の量は、カーボネータ２３に設けられたレベルスイッチで管理される。カーボネータ２３に貯留された炭酸水量が所定量以下になると、レベルスイッチがオンとなる。そして、レベルスイッチがオンになると、制御部２０は、炭酸水を製造するために、以下の制御を行う。
【００４５】
すなわち、制御部２０は、希釈水入口電磁弁３１および加圧水電磁弁３９を開状態とし、希釈水ポンプモータ３３を駆動させる。このとき、希釈水電磁弁３２は閉状態となるよう制御される。これにより、希釈水ポンプ３４が駆動され、希釈水入口電磁弁３１および加圧水電磁弁３９を介して、加圧された希釈水（加圧された水道水）がカーボネータ２３に供給されることになる。
【００４６】
カーボネータ２３に供給された希釈水は、炭酸ガスと混合され、炭酸水となる。その後、製造された炭酸水量が所定量に達すると、レベルスイッチがオフとなる。そして、レベルスイッチがオフになると、制御部２０は、上記制御を停止する。これにより、炭酸水の製造が停止する。
【００４７】
ここで、流量計２４は、炭酸水が単位量通過するごとにパルスを発生する。そして、制御部２０は、このパルスに基づいて、例えば以下の制御を行う。
【００４８】
制御部２０は、流量計２４のパルスをカウントすることにより、物理ボタン３ｂが押下されている間にノズル５ｂから送出される炭酸水の流量を検出する。
【００４９】
また、制御部２０は、流量計２４のパルスをカウントし、そのパルスに基づいて第１シロップモータ２６の回転数を制御することにより、物理ボタン３ｂが押下されている間にノズル５ｂから送出される第１シロップの流量を制御する。
【００５０】
また、制御部２０は、流量計２４のパルスをカウントし、そのパルスに基づいて第２シロップモータ２９の回転数を制御することにより、物理ボタン３ｂが押下されている間にノズル５ｂから送出される第２シロップの流量を制御する。
【００５１】
さらに、制御部２０は、物理ボタン３ｂの押下と同時に作動し、押下時点からの経過時間を計測するタイマを備えている。そして、制御部２０は、そのタイマにより計測された経過時間に基づいて、例えば以下の各制御を行う。
【００５２】
制御部２０は、図５に示すように、炭酸水電磁弁２２の開放から所定時間（例えば、０．２秒）経過後、第１シロップ電磁弁２５および第２シロップ電磁弁２８を制御して、第１シロップ電磁弁２５および第２シロップ電磁弁２８を開状態とする。
【００５３】
これと同時に、制御部２０は、図５に示すように、第１シロップモータ２６を制御して、第１シロップモータ２６の駆動を開始させる。この第１シロップモータ２６の駆動により、第１シロップポンプ２７は、シロップタンク１０ａから供給されるメインシロップを、開状態にある第１シロップ電磁弁２５を介してノズル５ｂに送出する。第１シロップポンプ２７は、例えば、ギアポンプなどのポンプである。
【００５４】
また、制御部２０は、第１シロップモータ２６の駆動開始（第１シロップ電磁弁２５、第２シロップ電磁弁２８の開放開始）から所定時間Ａ（例えば、０〜０．７秒）経過後、第２シロップモータ２９を制御して、第２シロップモータ２９の駆動を開始させる。
【００５５】
このとき、制御部２０は、第２シロップモータ２９を間欠的に駆動させる。例えば、図５に示すように、第２シロップモータ２９は、所定時間Ｂ（例えば、０．１〜０．３秒）駆動し、所定時間Ｃ（０．７〜０．９秒）停止するというサイクルを繰り返す。
【００５６】
この第２シロップモータ２９の駆動により、第２シロップポンプ３０は、シロップタンク１０ｂから供給される希釈しない状態の少量のトッピングシロップを、開状態にある第２シロップ電磁弁２８を介してノズル５ｂに送出する。第２シロップポンプ３０は、例えば、ギアポンプなどのポンプである。
【００５７】
このようにして、物理ボタン３ｂが押下されている間、上述した炭酸水、メインシロップ、およびトッピングシロップは、ノズル５ｂにおいて混合され、強炭酸のフレーバ添加飲料として容器置き場４ｂに置かれた容器に吐出される。
【００５８】
なお、上述のように、飲料提供装置１００は、炭酸水とメインシロップとを所定の割合で混合して主飲料を製造するとともに、希釈しない状態でトッピングシロップを主飲料に混合して飲料を製造するが、制御部２０は、メインシロップとトッピングシロップとの組み合わせに応じて、炭酸水とメインシロップとを混合する際の上記所定の割合を変更する。
【００５９】
これにより、メインシロップとトッピングシロップとの組み合わせに係らず、製造する飲料の糖度等を一定の範囲内に保つことができる。
【００６０】
なお、炭酸水の流量は、流量計２４に替えて炭酸水電磁弁２２の開放時間（開状態である時間）から検出してもよい。また、第１シロップと第２シロップの流量は、図示しない流量計（例えば、第１シロップ電磁弁２５の下流、第２シロップ電磁弁２８の下流などにそれぞれ設けられる流量計）により検出するようにしてもよい。
【００６１】
また、流量計２４に炭酸水が単位量通過するごとにパルスを発生させるだけでなく、制御部２０が、このパルスをカウントすることで時間を計測し、その時間に基づいて第１シロップモータ２６、第２シロップモータ２９、炭酸水電磁弁２２、第１シロップ電磁弁２５、第２シロップ電磁弁２８などを制御する構成としてもよい。
【００６２】
また、トッピングシロップは、フレーバとして添加されるものであるため添加量はわずかでよく、添加量が多過ぎると、メインシロップとトッピングシロップとで味のバランスがくずれてしまう。そのため、予め決められた量のトッピングシロップを、正確に添加する必要がある。
【００６３】
このような少量のトッピングシロップを、図５に示すメインシロップの吐出制御と同様に、長い時間にわたって添加しようとすると、トッピングシロップの吐出量の制御が難しくなる。
【００６４】
そこで、本実施の形態では、トッピングシロップを希釈しない状態で間欠的に添加する。これにより、予め決められた量のトッピングシロップを正確に添加でき、味のバランスがくずれることを防止できる。その結果、飲料の製造元が意図した通りの味の飲料を利用者に提供することができる。
【００６５】
また、上述のように、トッピングシロップを第２シロップポンプ３０で送出することとすれば、たとえ少量のトッピングシロップであっても、予め決められた量を正確に添加することができるようになる。
【００６６】
その後、強炭酸のフレーバ添加飲料が容器に吐出され、物理ボタン３ｂの押下が終了すると、制御部２０は、図５に示すように、第１シロップ電磁弁２５および第２シロップ電磁弁２８を閉状態とする。
【００６７】
これと同時に、制御部２０は、第１シロップモータ２６および第２シロップモータ２９の駆動を停止させる。これにより、ノズル５ｂからの飲料の吐出が停止する。
【００６８】
また、制御部２０は、物理ボタン３ｂの押下の終了から所定時間（例えば、０．１秒）経過後、炭酸水電磁弁２２を閉状態とする。炭酸水電磁弁２２を物理ボタン３ｂの押下の終了後すぐに閉状態としないのは、ノズル５ｂを炭酸水で洗浄するためである。
【００６９】
以上のように、本実施の形態の飲料供給装置１００によれば、シロップポンプを用いて希釈しない状態でトッピングシロップの吐出を間欠的に行うことにより、トッピングシロップの吐出量を高精度に制御することができるとともに、飲料の製造元が意図した通りの味の飲料を製造できる。
【００７０】
次に、飲料の供給後、さらに飲料の継ぎ足し操作が行われた場合について、図５を用いて説明する。図５には、継ぎ足し操作として、物理ボタン３ｂが時間Ｄだけ押下され、その後さらに物理ボタン３ｂが時間Ｅだけ押下された場合が示されている。
【００７１】
図５に示すように、物理ボタン３ｂの押下の開始から終了までの時間Ｄにおいて、第１シロップモータ２６の駆動開始（あるいは、第１シロップ電磁弁２５、第２シロップ電磁弁２８の開放開始）からの経過時間が所定時間Ａ（例えば、０〜０．７秒）に満たない場合、制御部２０は、第２シロップモータ２９を駆動しないようにする。この場合、継ぎ足される飲料にトッピングシロップは添加されない。
【００７２】
一方、物理ボタン３ｂの押下の開始から終了までの時間Ｅにおいて、第１シロップモータ２６の駆動開始（あるいは、第１シロップ電磁弁２５、第２シロップ電磁弁２８の開放開始）からの経過時間が所定時間Ａ（例えば、０〜０．７秒）以上である場合、制御部２０は、第２シロップモータ２９を駆動させる。この場合、継ぎ足される飲料にトッピングシロップが添加される。
【００７３】
このような制御により、継ぎ足し操作が行われた場合に、容易にトッピングシロップの添加を行うことができる。
【００７４】
なお、第１シロップモータ２６の駆動開始からの経過時間が上記所定時間Ａに満たない継ぎ足し操作が繰り返し行われた場合、飲料に占めるトッピングシロップの比率が低くなる。そのため、制御部２０は、以下のような制御を行うこととしてもよい。
【００７５】
具体的には、物理ボタン３ｂが複数回押下された場合において、各回における第１シロップモータ２６の駆動開始（あるいは、第１シロップ電磁弁２５、第２シロップ電磁弁２８の開放開始）からの経過時間の合計が所定時間Ａ（例えば、０〜０．７秒）以上となった場合、制御部２０が、第２シロップモータ２９を駆動させてもよい。
【００７６】
これにより、第１シロップモータ２６の駆動開始からの経過時間が所定時間Ａに満たない継ぎ足し操作が繰り返し行われた場合でも、トッピングシロップが添加され、より最適な味の飲料を利用者に供給できる。
【００７７】
（無炭酸のフレーバ添加飲料の供給方法）
次に、無炭酸のフレーバ添加飲料の供給時の制御動作の例について説明する。制御部２０は、無炭酸のフレーバ添加飲料の供給時にも、上述した強炭酸のフレーバ添加飲料の供給時の制御動作と同様に、各電磁弁２２、２５、２８、３１、３２および各モータ２６、２９、３３を制御することができる。
【００７８】
ここで、無炭酸のフレーバ添加飲料とは、メインシロップ、希釈水（水道水）、および、トッピングシロップが混合された飲料である。
【００７９】
図６Ａは、無炭酸のフレーバ添加飲料の供給時のタイムチャートである。図６Ａの場合、物理ボタン３ｂが押下されても炭酸水電磁弁２２は開状態とならず、その代り、飲料供給装置１００への水供給経路の入口に設けられた希釈水入口電磁弁３１が開状態となる。
【００８０】
また、希釈水電磁弁３２が開状態となり、希釈水ポンプモータ３３が駆動される。これにより、希釈水ポンプ３４が駆動され、希釈水電磁弁３２およびその下流に設けられた流量計４０を介して希釈水がノズル５ｂに供給されることになる。
【００８１】
ここで、流量計４０は、希釈水が単位量通過するごとにパルスを発生する。そして、制御部２０は、このパルスに基づいて、例えば以下の制御を行う。
【００８２】
制御部２０は、流量計４０のパルスをカウントすることにより、物理ボタン３ｂが押下されている間にノズル５ｂから送出される希釈水の流量を検出する。
【００８３】
また、制御部２０は、流量計４０のパルスをカウントし、そのパルスに基づいて第１シロップモータ２６の回転数を制御することにより、物理ボタン３ｂが押下されている間にノズル５ｂから送出される第１シロップの流量を制御する。
【００８４】
また、制御部２０は、流量計４０のパルスをカウントし、そのパルスに基づいて第２シロップモータ２９の回転数を制御することにより、物理ボタン３ｂが押下されている間にノズル５ｂから送出される第２シロップの流量を制御する。
【００８５】
さらに、制御部２０は、物理ボタン３ｂの押下と同時に作動し、押下時点からの経過時間を計測するタイマを備えている。そして、制御部２０は、そのタイマにより計測された経過時間に基づいて、例えば以下の各制御を行う。
【００８６】
制御部２０は、第１シロップモータ２６の駆動開始（第１シロップ電磁弁２５、第２シロップ電磁弁２８の開放開始）から所定時間Ａ（例えば、０〜０．７秒）経過後、第２シロップモータ２９を制御して、第２シロップモータ２９の駆動を開始させる。
【００８７】
このとき、制御部２０は、第２シロップモータ２９を間欠的に駆動させる。例えば、図６Ａに示すように、第２シロップモータ２９は、所定時間Ｂ（例えば、０．１〜０．３秒）駆動し、所定時間Ｃ（０．７〜０．９秒）停止するというサイクルを繰り返す。
【００８８】
この第２シロップモータ２９の駆動により、第２シロップポンプ３０は、シロップタンク１０ｂから供給される希釈しない状態の少量のトッピングシロップを、開状態にある第２シロップ電磁弁２８を介してノズル５ｂに送出する。第２シロップポンプ３０は、例えば、ギアポンプなどのポンプである。
【００８９】
このようにして、物理ボタン３ｂが押下されている間、上述した希釈水、メインシロップ、およびトッピングシロップは、ノズル５ｂにおいて混合され、無炭酸のフレーバ添加飲料として容器置き場４ｂに置かれた容器に吐出される。
【００９０】
なお、上述のように、飲料提供装置１００は、希釈水とメインシロップとを所定の割合で混合して主飲料を製造するとともに、希釈しない状態でトッピングシロップを主飲料に混合して飲料を製造するが、制御部２０は、メインシロップとトッピングシロップとの組み合わせに応じて、希釈水とメインシロップとを混合する際の上記所定の割合を変更する。
【００９１】
これにより、メインシロップとトッピングシロップとの組み合わせに係らず、製造する飲料の糖度等を一定の範囲内に保つことができる。
【００９２】
なお、希釈水の流量は、流量計４０に替えて希釈水電磁弁３２の開放時間（開状態である時間）から検出してもよい。また、第１シロップと第２シロップの流量は、図示しない流量計（例えば、第１シロップ電磁弁２５の下流、第２シロップ電磁弁２８の下流にそれぞれ設けられる流量計）により検出するようにしてもよい。
【００９３】
また、流量計４０に希釈水が単位量通過するごとにパルスを発生させるだけでなく、制御部２０が、このパルスをカウントすることで時間を計測し、その時間に基づいて第１シロップモータ２６、第２シロップモータ２９、希釈水電磁弁３２、第１シロップ電磁弁２５、第２シロップ電磁弁２８などを制御する構成としてもよい。
【００９４】
その後、無炭酸のフレーバ添加飲料が容器に吐出され、物理ボタン３ｂの押下が終了すると、制御部２０は、図６Ａに示すように、第１シロップ電磁弁２５および第２シロップ電磁弁２８を閉状態とする。
【００９５】
これと同時に、制御部２０は、第１シロップモータ２６および第２シロップモータ２９の駆動を停止させる。これにより、ノズル５ｂからの飲料の吐出が停止する。
【００９６】
また、制御部２０は、物理ボタン３ｂの押下の終了から所定時間（例えば、０．１秒）だけ、炭酸水電磁弁２２を開状態とする。炭酸水電磁弁２２を物理ボタン３ｂの押下の終了後に所定時間だけ開状態とするのは、ノズル５ｂを炭酸水で洗浄するためである。
【００９７】
また、制御部２０は、物理ボタン３ｂの押下の終了と同時に希釈水ポンプモータ３３を停止させるとともに、物理ボタン３ｂの押下の終了から所定時間（例えば、０．２秒）経過後に希釈水電磁弁３２を閉状態とし、物理ボタン３ｂの押下の終了から所定時間（例えば、０．５秒）経過後に希釈水入口電磁弁３１を閉状態とする。希釈水ポンプモータ３３と希釈水入口電磁弁３１、希釈水電磁弁３２を連動制御するのは、ウォーターハンマーの発生を防止するためである。
【００９８】
以上のように、本実施の形態の飲料供給装置１００によれば、シロップポンプを用いて希釈しない状態でトッピングシロップの吐出を間欠的に行うことにより、トッピングシロップの吐出量を高精度に制御することができるとともに、飲料の製造元が意図した通りの味の飲料を製造できる。
【００９９】
次に、飲料の供給後、さらに飲料の継ぎ足し操作が行われた場合について、図６Ａを用いて説明する。図６Ａには、継ぎ足し操作として、物理ボタン３ｂが時間Ｄだけ押下され、その後さらに物理ボタン３ｂが時間Ｅだけ押下された場合が示されている。
【０１００】
図６Ａに示すように、物理ボタン３ｂの押下の開始から終了までの時間Ｄにおいて、第１シロップモータ２６の駆動開始（あるいは、第１シロップ電磁弁２５、第２シロップ電磁弁２８の開放開始）からの経過時間が所定時間Ａ（例えば、０〜０．７秒）に満たない場合、制御部２０は、第２シロップモータ２９を駆動しないようにする。この場合、継ぎ足される飲料にトッピングシロップは添加されない。
【０１０１】
一方、物理ボタン３ｂの押下の開始から終了までの時間Ｅにおいて、第１シロップモータ２６の駆動開始（あるいは、第１シロップ電磁弁２５、第２シロップ電磁弁２８の開放開始）からの経過時間が所定時間Ａ（例えば、０〜０．７秒）以上となった場合、制御部２０は、第２シロップモータ２９を駆動させる。この場合、継ぎ足される飲料にトッピングシロップが添加される。
【０１０２】
このような制御により、継ぎ足し操作が行われた場合に、容易にトッピングシロップの添加を行うことができる。
【０１０３】
（弱炭酸のフレーバ添加飲料の供給方法）
次に、弱炭酸のフレーバ添加飲料の供給時の制御動作の例について説明する。制御部２０は、弱炭酸のフレーバ添加飲料の供給時にも、上述した強炭酸または無炭酸のフレーバ添加飲料の供給時の制御動作と同様に、各電磁弁２２、２５、２８、３１、３２、３９および各モータ２６、２９、３３を制御することができる。
【０１０４】
ここで、弱炭酸のフレーバ添加飲料とは、メインシロップ、希釈水（水道水）、炭酸水、および、トッピングシロップが混合された飲料である。
【０１０５】
また、図６Ｂは、弱炭酸のフレーバ添加飲料の供給時のタイムチャートである。図６Ｂの場合、図６Ａの場合と異なり、物理ボタン３ｂが押下されると、希釈水入口電磁弁３１が開状態となるとともに、炭酸水電磁弁２２が間欠的に開状態となる。
【０１０６】
ここで、制御部２０は、物理ボタン３ｂの押下と同時に作動し、押下時点からの経過時間を計測するタイマを備えている。そして、制御部２０は、そのタイマにより計測された経過時間に基づいて、例えば以下の各制御を行う。
【０１０７】
例えば、制御部２０は、図６Ｂに示すように、炭酸水電磁弁２２が１．０秒間開状態となり、１．０秒間閉状態となるサイクルを繰り返すように炭酸水電磁弁２２の開閉を制御する。これにより、炭酸水がノズル５ｂに間欠的に供給されることになる。
【０１０８】
ここで、流量計２４は、炭酸水が単位量通過するごとにパルスを発生する。また、流量計４０は、希釈水が単位量通過するごとにパルスを発生する。そして、制御部２０は、これらのパルスに基づいて、例えば以下の制御を行う。
【０１０９】
制御部２０は、流量計２４のパルスをカウントすることにより、物理ボタン３ｂが押下されている間にノズル５ｂから送出される炭酸水の流量を検出する。
【０１１０】
また、制御部２０は、流量計４０のパルスをカウントすることにより、物理ボタン３ｂが押下されている間にノズル５ｂから送出される希釈水の流量を検出する。
【０１１１】
また、制御部２０は、流量計２４または流量計４０のパルスをカウントし、そのパルスに基づいて第１シロップモータ２６の回転数を制御することにより、物理ボタン３ｂが押下されている間にノズル５ｂから送出される第１シロップの流量を制御する。
【０１１２】
また、制御部２０は、流量計２４または流量計４０が発生するパルスをカウントし、そのパルスに基づいて第２シロップモータ２９の回転数を制御することにより、物理ボタン３ｂが押下されている間にノズル５ｂから送出される第２シロップの流量を制御する。
【０１１３】
制御部２０は、図６Ｂに示すように、炭酸水電磁弁２２が閉状態である期間中（例えば、１．０秒間）、希釈水電磁弁３２を開状態にするとともに、炭酸水電磁弁２２が閉状態となってから所定の期間（例えば、０．８秒間）、希釈水ポンプモータ３３を駆動させる。これにより、希釈水がノズル５ｂに間欠的に供給されることになる。
【０１１４】
また、制御部２０は、第１シロップモータ２６の駆動開始（第１シロップ電磁弁２５、第２シロップ電磁弁２８の開放開始）から所定時間Ａ（例えば、０〜０．７秒）経過後、第２シロップモータ２９を制御して、第２シロップモータ２９の駆動を開始させる。
【０１１５】
このとき、制御部２０は、第２シロップモータ２９を間欠的に駆動させる。例えば、図６Ｂに示すように、第２シロップモータ２９は、所定時間Ｂ（例えば、０．１〜０．３秒）駆動し、所定時間Ｃ（０．７〜０．９秒）停止するというサイクルを繰り返す。
【０１１６】
この第２シロップモータ２９の駆動により、第２シロップポンプ３０は、シロップタンク１０ｂから供給される希釈しない状態の少量のトッピングシロップを、開状態にある第２シロップ電磁弁２８を介してノズル５ｂに送出する。第２シロップポンプ３０は、例えば、ギアポンプなどのポンプである。
【０１１７】
このようにして、物理ボタン３ｂが押下されている間、上述した炭酸水、希釈水、メインシロップ、およびトッピングシロップは、ノズル５ｂにおいて混合され、弱炭酸のフレーバ添加飲料として容器置き場４ｂに置かれた容器に吐出される。
【０１１８】
なお、上述のように、飲料提供装置１００は、希釈水と炭酸水とメインシロップとを所定の割合で混合して主飲料を製造するとともに、希釈しない状態でトッピングシロップを主飲料に混合して飲料を製造するが、制御部２０は、メインシロップとトッピングシロップとの組み合わせに応じて、希釈水と炭酸水とメインシロップとを混合する際の上記所定の割合を変更する。
【０１１９】
これにより、メインシロップとトッピングシロップとの組み合わせに係らず、製造する飲料の糖度等を一定の範囲内に保つことができる。
【０１２０】
なお、炭酸水の流量は、流量計２４に替えて炭酸水電磁弁２２の開放時間（開状態である時間）から検出してもよい。また、希釈水の流量は、流量計４０に替えて希釈水電磁弁３２の開放時間（開状態である時間）から検出してもよい。
【０１２１】
また、第１シロップと第２シロップの流量は、図示しない流量計（例えば、第１シロップ電磁弁２５の下流、第２シロップ電磁弁２８の下流などにそれぞれ設けられる流量計）により検出するようにしてもよい。
【０１２２】
また、流量計２４に炭酸水が単位量通過するごとにパルスを発生させるだけでなく、制御部２０が、このパルスをカウントすることで時間を計測し、その時間に基づいて第１シロップモータ２６、第２シロップモータ２９、炭酸水電磁弁２２、第１シロップ電磁弁２５、第２シロップ電磁弁２８などを制御する構成としてもよい。
【０１２３】
また、流量計４０に希釈水が単位量通過するごとにパルスを発生させるだけでなく、制御部２０が、このパルスをカウントすることで時間を計測し、その時間に基づいて第１シロップモータ２６、第２シロップモータ２９、希釈水電磁弁３２、第１シロップ電磁弁２５、第２シロップ電磁弁２８などを制御する構成としてもよい。
【０１２４】
その後、弱炭酸のフレーバ添加飲料が容器に吐出され、物理ボタン３ｂの押下が終了すると、制御部２０は、図６Ｂに示すように、第１シロップ電磁弁２５および第２シロップ電磁弁２８を閉状態とする。
【０１２５】
これと同時に、制御部２０は、第１シロップモータ２６および第２シロップモータ２９の駆動を停止させる。これにより、ノズル５ｂからの飲料の吐出が停止する。
【０１２６】
また、制御部２０は、物理ボタン３ｂの押下の終了から所定時間（例えば、０．１秒）だけ、炭酸水電磁弁２２を開状態とする。炭酸水電磁弁２２を物理ボタン３ｂの押下の終了後に所定時間だけ開状態とするのは、ノズル５ｂを炭酸水で洗浄するためである。
【０１２７】
また、制御部２０は、物理ボタン３ｂの押下の終了と同時に希釈水ポンプモータ３３を停止させるとともに、物理ボタン３ｂの押下の終了から所定時間（例えば、０．２秒）経過後に希釈水電磁弁３２を閉状態とし、物理ボタン３ｂの押下の終了から所定時間（例えば、０．５秒）経過後に希釈水入口電磁弁３１を閉状態とする。希釈水ポンプモータ３３と希釈水入口電磁弁３１、希釈水電磁弁３２を連動制御するのは、ウォーターハンマーの発生を防止するためである。
【０１２８】
次に、飲料の供給後、さらに飲料の継ぎ足し操作が行われた場合について、図６Ｂを用いて説明する。図６Ｂには、継ぎ足し操作として、物理ボタン３ｂが時間Ｄだけ押下され、その後さらに物理ボタン３ｂが時間Ｅだけ押下された場合が示されている。
【０１２９】
図６Ｂに示すように、物理ボタン３ｂの押下の開始から終了までの時間Ｄにおいて、第１シロップモータ２６の駆動開始（あるいは、第１シロップ電磁弁２５、第２シロップ電磁弁２８の開放開始）からの経過時間が所定時間Ａ（例えば、０〜０．７秒）に満たない場合、制御部２０は、第２シロップモータ２９を駆動しないようにする。この場合、継ぎ足される飲料にトッピングシロップは添加されない。
【０１３０】
一方、物理ボタン３ｂの押下の開始から終了までの時間Ｅにおいて、第１シロップモータ２６の駆動開始（あるいは、第１シロップ電磁弁２５、第２シロップ電磁弁２８の開放開始）からの経過時間が所定時間Ａ（例えば、０〜０．７秒）以上である場合、制御部２０は、第２シロップモータ２９を駆動させる。この場合、継ぎ足される飲料にトッピングシロップが添加される。
【０１３１】
このような制御により、継ぎ足し操作が行われた場合に、容易にトッピングシロップの添加を行うことができる。
【０１３２】
以上、本発明の実施の形態について説明したが、本発明は上記実施の形態に限定されず、種々の変形が可能である。以下、このような変形例について説明する。
【０１３３】
（変形例１）
上記実施の形態では、トッピングシロップの吐出のみを間欠的に行うとしたが、さらにメインシロップの吐出も間欠的に行うこととしてもよい。以下このような場合について、図７を用いて説明する。
【０１３４】
図７は、メインシロップの間欠吐出について説明する図である。図７の（１）は、図５で説明した第１シロップモータ２６の駆動タイミングを示しており、図７の（２）は、図５で説明した第２シロップモータ２９の駆動タイミングを示している。
【０１３５】
図７に示すように、第１シロップモータ２６は、間欠的に動作することとしてもよい。これにより、メインシロップがノズル５ｂに間欠的に吐出されることになる。
【０１３６】
この場合、第２シロップモータ２９は、第１シロップモータ２６が駆動する複数の時間帯のうち、１個おきの時間帯において駆動する。これにより、第１シロップポンプ２７の吐出量よりも少ない吐出量で第２シロップポンプ３０を駆動することができる。その結果、希釈しない状態の少量のトッピングシロップを決められた量だけ正確に添加できる。
【０１３７】
なお、ここでは、第２シロップモータ２９が１個おきの時間帯において駆動することとしたが、これに限定されず、第１シロップモータ２６が駆動する複数の時間帯のうちＮ個おき（Ｎは１以上の整数）のタイミングに連動して駆動することとしてもよい。
【０１３８】
また、この場合、希釈しない状態のトッピングシロップが、メインシロップと同じタイミングで吐出されることになる。これにより、ノズル５ｂ内において、炭酸水やメインシロップとトッピングシロップとの間の混合をより促進することができる。
【０１３９】
さらに、第２シロップモータ２９の駆動間隔をある程度短くすることにより、利用者が物理ボタン３ｂの押下をいつ止めても、炭酸水、メインシロップ、および、トッピングシロップが均一に混合した飲料が容易に得られるようになる。
【０１４０】
なお、図７では、トッピングシロップの吐出開始のタイミングと、メインシロップの吐出開始のタイミングとが同じタイミングであることとしたが、それらのタイミングは必ずしも同じでなくともよい。
【０１４１】
（変形例２）
上記変形例１では、メインシロップおよびトッピングシロップの間欠的な吐出が、それぞれ第１シロップポンプ２７および第２シロップポンプ３０により実現されることとしたが、加圧されたメインシロップおよびトッピングシロップの吐出を電磁弁の開閉により制御して、それらの間欠的な吐出を実現することとしてもよい。
【０１４２】
この場合も、トッピングシロップを長い間連続的に吐出するのではなく、トッピングシロップを希釈しない状態で間欠的に添加するので、予め決められた量のトッピングシロップを正確に添加できるとともに、味のバランスがくずれることを防止できる。その結果、飲料の製造元が意図した通りの味の飲料を利用者に提供することができる。
【０１４３】
以下に、図８を用いて、本変形例の飲料供給装置１１０における飲料供給の制御処理について説明する。図８は、本変形例に係る飲料供給装置１１０の配管系統を示す図である。なお、図８において、図４と同じ構成要素については同じ符号を用いている。
【０１４４】
なお、以下では、強炭酸のフレーバ添加飲料（メインシロップ、炭酸水、および、トッピングシロップが混合された飲料）が供給される例について説明する。
【０１４５】
図８に示すように、飲料供給装置１１０は、上述したタッチパネル２、物理ボタン３ｂ、ノズル５ｂ、シロップタンク１０ａ、１０ｂ、制御部２０、記憶部２１、炭酸水電磁弁２２、カーボネータ２３、流量計２４、希釈水入口電磁弁３１、希釈水ポンプモータ３３、および、希釈水ポンプ３４に加えて、第１シロップ電磁弁３５、第１シロップ流量計３６、第２シロップ電磁弁３７、第２シロップ流量計３８を備える。
【０１４６】
シロップタンク１０ａ、シロップタンク１０ｂはそれぞれ、図３のシロップタンク１０のうちの１つであり、メインシロップまたはトッピングシロップとして用いられるシロップ（例えば、コーラシロップ、オレンジシロップ等）を蓄えている。
【０１４７】
制御部２０は、ＣＰＵ（Central Processing Unit）などの制御デバイスである。また、記憶部２１は、ＲＯＭ（Read Only Memory）やＲＡＭ（Random Access Memory）などのメモリデバイスである。
【０１４８】
制御部２０は、タッチパネル２において、ユーザにより強炭酸のフレーバ添加飲料を選択する操作が行われると、選択された飲料に関するデータを記憶部２１から読み出す。
【０１４９】
このデータは、例えば、メインシロップとトッピングシロップとの組み合わせに対応付けて登録されたメインシロップ、炭酸水、および、トッピングシロップの希釈比率のデータ、その希釈比率に応じて各電磁弁（希釈水入口電磁弁３１、炭酸水電磁弁２２、第１シロップ電磁弁３５、第２シロップ電磁弁３７）の開閉を制御するための設定データなどである。
【０１５０】
そして、利用者により物理ボタン３ｂが押下されると、制御部２０は、上記各データに基づいて以下の制御を行う。
【０１５１】
まず、制御部２０は、図９に示すように、物理ボタン３ｂが押下されると、炭酸水電磁弁２２を開状態とする。カーボネータ２３で製造された炭酸水は、開状態にある炭酸水電磁弁２２および流量計２４を介して、ノズル５ｂに送出される。なお、炭酸水の製造方法については、上述したとおりであるので、ここでの説明は省略する。
【０１５２】
ここで、流量計２４は、炭酸水が単位量通過するごとにパルスを発生し、制御部２０が、このパルスをカウントする。なお、制御部２０がパルスに基づいて行う処理については、上述したとおりであるので、ここでの説明は省略する。
【０１５３】
制御部２０は、物理ボタン３ｂの押下と同時に作動し、押下時点からの経過時間を計測するタイマを備えている。そして、制御部２０は、そのタイマにより計測された経過時間に基づいて、例えば以下の各制御を行う。
【０１５４】
制御部２０は、図９に示すように、炭酸水電磁弁２２の開放後、第１シロップ電磁弁３５および第２シロップ電磁弁３７の開閉制御を行う。
【０１５５】
具体的には、制御部２０は、炭酸水電磁弁２２を開状態としてから所定時間（例えば、０．２秒）経過後、第１シロップ電磁弁３５を間欠的に開状態にしてメインシロップを吐出させる。
【０１５６】
例えば、図９に示すように、第１シロップ電磁弁３５は、所定時間開状態となり、所定時間閉状態となるというサイクルを繰り返す。メインシロップの供給量は、第１シロップ電磁弁３５の開時間により可変調整することができる。なお、メインシロップの供給量は、開時間を一定とし、その周期を可変にすることでも調整することができる。
【０１５７】
また、制御部２０は、第２シロップ電磁弁３７についても間欠的に開状態にしてトッピングシロップを吐出させる。例えば、第２シロップ電磁弁３７は、第１シロップ電磁弁３５が開状態となる複数の時間帯のうち、１個おきの時間帯において開状態となる。
【０１５８】
これにより、メインシロップの吐出量よりも少ない吐出量でトッピングシロップを吐出することができる。その結果、希釈しない状態の少量のトッピングシロップを決められた量だけ正確に添加できる。
【０１５９】
なお、ここでは、第２シロップ電磁弁３７が１個おきの時間帯において開状態となることとしたが、これに限定されない。例えば、第２シロップ電磁弁３７は、第１シロップ電磁弁３５が開状態となる複数の時間帯のうちＮ個おき（Ｎは１以上の整数）のタイミングに連動して開状態となることとしてもよい。
【０１６０】
このようにして、物理ボタン３ｂが押下されている間、上述した炭酸水、メインシロップ、およびトッピングシロップは、ノズル５ｂにおいて混合され、強炭酸のフレーバ添加飲料として容器置き場４ｂに置かれた容器に吐出される。
【０１６１】
なお、上述のように、飲料提供装置１１０は、炭酸水とメインシロップとを所定の割合で混合して主飲料を製造するとともに、希釈しない状態でトッピングシロップを主飲料に混合して飲料を製造するが、制御部２０は、メインシロップとトッピングシロップとの組み合わせに応じて、炭酸水とメインシロップとを混合する際の上記所定の割合を変更する。
【０１６２】
これにより、メインシロップとトッピングシロップとの組み合わせに係らず、製造する飲料の糖度等を一定の範囲内に保つことができる。
【０１６３】
なお、物理ボタン３ｂが押下されている間、制御部２０は、流量計２４、第１シロップ流量計３６、第２シロップ流量計３８の検出流量から、製造中の飲料の混合割合を適時、検出することができる。
【０１６４】
また、流量計２４に炭酸水が単位量通過するごとにパルスを発生させるだけでなく、制御部２０が、このパルスをカウントすることで時間を計測し、その時間に基づいて希釈水入口電磁弁３１、希釈水ポンプモータ３３、炭酸水電磁弁２２、第１シロップ電磁弁３５、第２シロップ電磁弁３７などを制御する構成としてもよい。
【０１６５】
また、本変形例では、制御部２０は、流量計２４で発生したパルスをカウントする構成としたが、例えば、第１シロップ流量計３６または第２シロップ流量計３８のいずれかにおいてシロップが単位量通過するごとに発生するパルスをカウントしてもよい。
【０１６６】
その後、強炭酸のフレーバ添加飲料が容器に吐出され、物理ボタン３ｂの押下が終了すると、制御部２０は、図９に示すように、第１シロップ電磁弁３５および第２シロップ電磁弁３７を閉状態とする。これにより、ノズル５ｂからの飲料の吐出が停止する。
【０１６７】
また、制御部２０は、物理ボタン３ｂの押下の終了から所定時間（例えば、０．１秒）経過後、炭酸水電磁弁２２を閉状態とする。炭酸水電磁弁２２を物理ボタン３ｂの押下の終了後すぐに閉状態としないのは、ノズル５ｂを炭酸水で洗浄するためである。
【０１６８】
以上のように、本変形例の飲料供給装置１１０によれば、電磁弁を用いて希釈しない状態でトッピングシロップの吐出を間欠的に行うことにより、トッピングシロップの吐出量を高精度に制御することができるとともに、飲料の製造元が意図した通りの味の飲料を製造できる。
【０１６９】
次に、飲料の供給後、さらに飲料の継ぎ足し操作が行われた場合について、図９を用いて説明する。図９には、継ぎ足し操作として、物理ボタン３ｂが時間Ｄだけ押下され、その後さらに物理ボタン３ｂが時間Ｅだけ押下された場合が示されている。
【０１７０】
図９に示すように、物理ボタン３ｂの押下の開始から終了までの時間Ｄにおいて、第１シロップ電磁弁３５が開状態となる時間帯が２個に満たない場合、制御部２０は、第２シロップ電磁弁３７を閉状態のままにする。この場合、継ぎ足される飲料にトッピングシロップは添加されない。
【０１７１】
一方、図９に示すように、物理ボタン３ｂの押下の開始から終了までの時間Ｅにおいて、第１シロップ電磁弁３５が開状態となる時間帯が２個ある場合、制御部２０は、第１シロップ電磁弁３５が開状態となる２個目の時間帯において第２シロップ電磁弁３７を開状態にする。この場合、継ぎ足される飲料にトッピングシロップが添加される。
【０１７２】
このような制御により、継ぎ足し操作が行われた場合に、容易にトッピングシロップの添加を行うことができる。
【０１７３】
なお、第１シロップ電磁弁３５が開状態となる時間帯が２個に満たない継ぎ足し操作が繰り返し行われた場合、飲料に占めるトッピングシロップの比率が低くなる。そのため、制御部２０は、以下のような制御を行うこととしてもよい。
【０１７４】
具体的には、物理ボタン３ｂが複数回押下された場合において、各回における第１シロップ電磁弁３５が開状態となる時間帯の合計が２個以上である場合、制御部２０は、それらの時間帯のうち１個おきに第２シロップ電磁弁３７を開状態にしてもよい。
【０１７５】
これにより、第１シロップ電磁弁３５が開状態となる時間帯が２個に満たない継ぎ足し操作が繰り返し行われた場合でも、トッピングシロップが添加され、より最適な味の飲料を利用者に供給できる。
【０１７６】
以上、本発明の実施の形態の変形例について説明したが、上述した変形例は、任意に組み合わせて実現してもよい。
【０１７７】
２０１４年１０月３１日出願の特願２０１４−２２３６０８の日本出願に含まれる明細書、図面および要約書の開示内容は、すべて本願に援用される。
【産業上の利用可能性】
【０１７８】
本発明は、飲料を供給する飲料供給装置に有用である。
【符号の説明】
【０１７９】
１  前面扉
２  タッチパネル
３ａ、３ｂ、３ｃ  物理ボタン
４ａ、４ｂ、４ｃ  容器置き場
５ａ、５ｂ、５ｃ  ノズル
６、７  バックインボックス
８  浄化フィルタ
９  炭酸ガスボンベ
１０、１０ａ、１０ｂ  シロップタンク
１１、１２、１４、１５、１６  ブレードチューブ
１３  ガスレギュレータ
１７、１８  ＢＩＢ用チューブポンプ
２０  制御部
２１  記憶部
２２  炭酸水電磁弁
２３  カーボネータ
２４、４０  流量計
２５、３５  第１シロップ電磁弁
２６  第１シロップモータ
２７  第１シロップポンプ
２８、３７  第２シロップ電磁弁
２９  第２シロップモータ
３０  第２シロップポンプ
３１  希釈水入口電磁弁
３２  希釈水電磁弁
３３  希釈水ポンプモータ
３４  希釈水ポンプ
３６  第１シロップ流量計
３８  第２シロップ流量計
３９  加圧水電磁弁
５０、５１  シロップポンプ
５２  炭酸水ノズル
１００、１１０  飲料供給装置
【図１】
2020063100.tif 000003
【図２】
2020063100.tif 000004
【図３】
2020063100.tif 000005
【図４】
2020063100.tif 000006
【図５】
2020063100.tif 000007
【図６Ａ】
2020063100.tif 000008
【図６Ｂ】
2020063100.tif 000009
【図７】
2020063100.tif 000010
【図８】
2020063100.tif 000011
【図９】
2020063100.tif 000012